(57)【要約】【課題】実物製品サンプルと比較製品サンプルを併せて掲載し、消費者が対象製品の機能、特徴を実感することを可能とすることで、販売促進効果を高めた紙面広告物を提供する。【解決手段】タイトル部２、書誌的事項部３、製品情報部４、サンプル部５及び広告主情報部６を有する郵送又は頒布可能な紙面広告物１において、前記サンプル部５は実物製品サンプル５Ａと比較製品サンプル５Ｂから構成される。【選択図】図１
0003224023.tif 000002
【実用新案登録請求の範囲】
【請求項１】
タイトル部、書誌的事項部、製品情報部、サンプル部及び広告主情報部を有する郵送又は頒布可能な紙面広告物において、
前記サンプル部は実物製品サンプルと比較製品サンプルから構成されることを特徴とする紙面広告物。
【請求項２】
前記比較製品サンプルは防滑材が塗布される前の床材の画像からなり、前記実物製品サンプルは前記画像に防滑材を塗布したものであることを特徴とする請求項１記載の紙面広告物。
【請求項３】
前記紙面広告物を稟議書、企画書又は発注書として利用することを特徴とする請求項１又は２記載の紙面広告物。
【考案の詳細な説明】
【技術分野】
【０００１】
本考案は、製品販売促進用の紙面広告物に関し、特に、床用の防滑材を販売促進する際に用いられる対象製品と比較製品のサンプルを併せて掲載した紙面広告物に関する。
【背景技術】
【０００２】
例えば、公共施設、オフィス、家庭等で使用されている床材は、タイル、大理石、御影石、金属板、樹脂板、セラミック板、等が用いられている。しかしながら、これらの床材は傾斜や水滴等によって滑りやすくなり、歩行者が転倒等によって負傷する場合があり、高額な医療費や施工主の賠償責任が発生する可能性がある。
【０００３】
そのため、床材の滑りを防止するため、床材の表面に防滑材を塗布施工する技術が開発されている。そのような防滑材として、樹脂溶剤に滑りを防止するための荒粒子を混入した透明又は有色の防滑材（「クリアグリップ（登録商標）」、「カパラグリップ（登録商標）」）が知られている。
【０００４】
ところで、一般の製品販売促進手段として、当該製品の概要、特徴・利点等を掲載した紙面広告物を郵送又は対面配布等で消費者に配ることで販売促進活動を行っているが、その際、化粧品、繊維製品、一部の食品等の分野では、試供品やサンプルを紙面広告物に添付し消費者に郵送又は配布することで販売促進を行っている例がある。
【先行技術文献】
【特許文献】
【０００５】
【特許文献１】実開平３−２３７８号公報
【特許文献２】実開平４−１０４６７７号公報
【特許文献３】特許第６４０４０９３号公報
【考案の概要】
【考案が解決しようとする課題】
【０００６】
上述した化粧品等の試供品やサンプルを添付した紙面広告物は、消費者が実物の製品を試用できる点で、販売促進上、一定の効果を奏する。しかしながら、上述した滑り防止用の防滑材の分野における従来の販売促進用の紙面広告物では、単に、製品の成分や特徴とともに、防滑材を塗布した製品等の写真を添付する場合が多いが、防滑材が透明な場合には、消費者は具体的な防滑材の機能や特徴を実感することができず、その販売促進効果には限界があった。
【０００７】
本考案は上記課題を解決するためになされたもので、実物製品サンプルと比較製品サンプルを併せて掲載し、消費者が対象製品の機能、特徴を実感することを可能とすることで、販売促進効果を高めた紙面広告物を提供することを目的とする。
【課題を解決するための手段】
【０００８】
上記課題を解決するために、本実施形態に係る紙面広告物は、タイトル部、書誌的事項部、製品情報部、サンプル部及び広告主情報部を有する郵送又は頒布可能な紙面広告物において、前記サンプル部は実物製品サンプルと比較製品サンプルから構成されることを特徴とする。
【考案の効果】
【０００９】
本考案によれば、対象製品の構成、機能を消費者に実感させることで、販売促進効果を高めることができる。
【図面の簡単な説明】
【００１０】
【図１】第１の実施形態に係る紙面広告物のレイアウト構成図。
【図２】第２の実施形態に係る紙面広告物のレイアウト構成図。
【考案を実施するための形態】
【００１１】
以下、本考案に係る紙面広告物の実施形態について、図面を参照して説明する。
なお、以下の説明では、防滑材に関する紙面広告物について説明するが、類似する他の製品にも適用できることはもちろんである。
【００１２】
また、紙面広告物１は、直に切手等を貼るか又は封筒に入れて郵送物としてもよいが、対面頒布してもよい。なお、紙面広告物のサイズはＡ４サイズに限定されず、葉書サイズ、Ｂ５サイズ等、任意の大きさとすることができる。
【００１３】
また、紙面広告物の材質としては、画像の写りが良いマット紙、コート紙、光沢紙等の用紙を用いることが望ましい。
また、図１は紙面広告物１に各種情報を記載した例であるが、裏面についても他の種々の情報、写真、図柄等を適宜掲載してもよい。
【００１４】
［第１の実施形態］
第１の実施形態に係る紙面広告物は一般配布又は郵送用のもので、以下にそのレイアウト構成例及び掲載項目例について、図１を参照して説明する。
【００１５】
（掲載項目例）
〈タイトル部２〉
タイトル部２には、広告対象物の製品名等を記載する。その場合、広告効果を高めるために、色彩感のある大きな装飾文字を使用してもよい。
【００１６】
〈書誌的事項部３〉
この紙面広告物１を作成した会社名や作成日等を記載する。
【００１７】
〈広告対象の製品情報部４〉
広告対象の製品の仕様や特徴等を記載する。
【００１８】
〈サンプル部５〉
本実施形態では、広告対象製品の利点を強調するために、実際の製品（本実施形態では防滑材）を塗布した実物製品サンプル５Ａと、塗布しない比較製品サンプル５Ｂを併せて掲載している。
【００１９】
床材の滑り止めのために本製品を適用した例について説明すると、サンプル部５には、本製品が塗布されていない床材の画像からなる比較製品サンプル５Ｂと、同じ画像に実際の防滑材７が塗布された後の実物製品サンプル５Ａが掲載される。
【００２０】
本実施形態に係る防滑材７には径が２ｍｍ以下の粒子が混入されているが、実物製品サンプル５Ａは、防滑材７が塗布されているので、ザラザラとした触感が得られる。図１の５Ａに図示されている小径の○、△、□は、そのような粒子を模式的に示したものである。
【００２１】
したがって、この実物製品サンプル５Ａと比較製品サンプル５Ｂに指等で触れた顧客等は、その相違を肌で感じることが可能となり、防滑効果を実感することができる。
【００２２】
なお、防滑材７は紙面広告物１に印刷された画像に直接塗布してもよいが、多数の紙面広告物１を作成するために、予め、当該画像が印刷された粘着性の貼付シートに防滑材７を塗布した後、所望のサイズに切断し、紙面広告物１の所定の領域に貼付することが望ましい。
【００２３】
〈広告主情報部６〉
広告主の連絡先、アクセス手段等が掲載される。
【００２４】
（作用効果）
以上説明したように、本実施形態によれば、広告に必要な書誌的事項に加えて、実物製品サンプル５Ａと比較製品サンプル５Ｂを併せて掲載したことで、消費者に広告対象の製品の利点を実感させることができるので、その広告効果は大きい。
【００２５】
特に、広告対象の製品が防滑材である場合には、実物製品サンプル５Ａに触るとザラザラ感を実感させることができるので、滑り止めの効果を体感させることができるため、広告宣伝効果は絶大である。
【００２６】
［第２の実施形態］
第２の実施形態に係る紙面広告物は、稟議書、企画書、注文書等にそのまま利用可能なレイアウト構成としている。
【００２７】
以下の説明では、紙面広告物を稟議書１０として利用する例について説明するが、適宜、掲載項目を変更することで、企画書、注文書として利用できるレイアウト構成としてもよい。なお、広告対象製品の利点を実感させるために、いずれの場合においても、実物製品サンプル５Ａと比較製品サンプル５Ｂからなるサンプル部５は必須である。
【００２８】
稟議書１０として利用する際の紙面広告物のレイアウト構成例及び掲載項目例について、図２を用いて説明する。
【００２９】
図２に示すレイアウト例を上から順に説明すると、まず、タイトル部として稟議書１１の文字を記載し、次に、稟議書の提出先、作成者、作成日等１２を記載し、稟議対象の製品の仕様や特徴等の製品情報１３を記載する。
【００３０】
次に、実物製品サンプル５Ａと比較製品サンプル５Ｂを掲載するが、その詳細は第１実施形態と同様なので、重複説明を省略する。
そして、最後に稟議書作成部署、作成者の連絡先、アクセス手段等１４を記載する。
【００３１】
（作用効果）
本第２の実施形態によれば、紙面広告物をそのまま稟議書１０に利用できるので、事務効率を向上させることができる。また、実物製品サンプル５Ａと比較製品サンプル５Ｂを併せて掲載したことで、対象製品の利点を容易に強調することができるので、説得力が高いプレゼンテーションを行うことができる。
【００３２】
なお、図２に示すレイアウト構成や掲載項目はあくまでも例示であって、会社組織等によって適宜変更可能であることは当然である。
【００３３】
以上、本考案のいくつかの実施形態を説明したが、これらの実施形態は、例として提示したものであり、考案の範囲を限定することは意図していない。また、これら新規な実施形態は、一般的な配布用、郵送用の広告物、社内外で用いられる稟議書、発注書、企画書等、様々な形態で実施されることが可能であり、考案の要旨を逸脱しない範囲で、種々の省略、置き換え、変更を行うことができる。
【符号の説明】
【００３４】
１…紙面広告物、２…タイトル部、３…書誌的事項部、４…製品情報部、５…サンプル部、５Ａ…実物製品サンプル、５Ｂ…比較製品サンプル、６…広告主情報部、７…防滑材
【図１】
0003224023.tif 000003
【図２】
0003224023.tif 000004
【手続補正書】
【提出日】令和1年9月24日(2019.9.24)
【手続補正１】
【補正対象書類名】明細書
【補正対象項目名】０００８
【補正方法】変更
【補正の内容】
【０００８】
上記課題を解決するために、本実施形態に係る紙面広告物は、上方から下方にタイトル部、書誌的事項部、製品情報部、サンプル部及び広告主情報部を順次配置した郵送又は頒布可能な紙面広告物において、前記サンプル部は実物製品サンプルと比較製品サンプルを左右に配置してなることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
上方から下方にタイトル部、書誌的事項部、製品情報部、サンプル部及び広告主情報部を順次配置した郵送又は頒布可能な紙面広告物において、
前記サンプル部は実物製品サンプルと比較製品サンプルを左右に配置してなることを特徴とする紙面広告物。
【請求項２】
前記比較製品サンプルは防滑材が塗布される前の床材の画像からなり、前記実物製品サンプルは前記画像に防滑材を塗布したものであることを特徴とする請求項１記載の紙面広告物。
【請求項３】
前記紙面広告物を稟議書、企画書又は発注書として利用することを特徴とする請求項１又は２記載の紙面広告物。